【手続補正書】
【提出日】平成21年2月4日(2009.2.4)
【手続補正１】
【補正対象書類名】特許請求の範囲
【補正対象項目名】全文
【補正方法】変更
【補正の内容】
【特許請求の範囲】
【請求項１】
複数のポートを有するネットワーク接続装置と、前記複数のポートのうちのいずれかを
介して前記ネットワーク接続装置と接続されるネットワーク機器と、前記ネットワーク接
続装置と接続されるサーバとを有するネットワークシステムであって、
前記サーバは、前記ポートの接続先の物理的な位置と該ポートの識別子との第１の対応
関係と、前記ネットワーク機器のネットワークアドレスと該ネットワーク機器の識別子も
しくは該ネットワーク機器の使用者の識別子との第２の対応関係とを記憶する記憶部を有
し、
前記ネットワーク接続装置は、前記ポートの識別子と、該ポートに接続された前記ネット
ワーク機器のネットワークアドレスとの第３の対応関係を記憶する記憶部を有し、
前記サーバは、前記ネットワーク接続装置から前記第３の対応関係を取得し、前記第１、
第２及び第３の対応関係に基づいて、前記ポートに接続される前記ネットワーク機器の物
理的な位置と該ネットワーク機器の識別子もしくは該ネットワーク機器の使用者の識別子
との第４の対応関係を得ることを特徴とするネットワークシステム。
【請求項２】
請求項１記載のネットワークシステムであって、
さらに前記ネットワーク接続装置に接続されたコンピュータを備え、
前記コンピュータは、
前記サーバから前記第４の対応関係を受信する受信部と、
受信した前記第４の対応関係を表示する表示部とを有することを特徴とするネットワーク
システム。
【請求項３】
請求項２記載のネットワークシステムであって、
前記表示部は、前記第４の対応関係に基づいて、前記ネットワーク機器の位置を示す地
図を表示し、さらに該地図上の前記ネットワーク機器の位置の近傍に該ネットワーク機器
の識別子もしくは該ネットワーク機器の使用者の識別子を表示することを特徴とするネッ
トワークシステム。
【請求項４】
請求項１記載のネットワークシステムであって、
前記サーバは機器管理サーバであり、
前記サーバの記憶部には、さらに前記ネットワーク機器の識別子と該ネットワーク機器
の管理情報との第５の対応関係が記憶されており、
前記サーバは、前記第４及び第５の対応関係に基づき、前記ネットワーク機器の位置を
示す地図と該地図上の前記ネットワーク機器の位置の近傍に該ネットワーク機器の前記管
理情報を表示する表示部をさらに備えたことを特徴とするネットワークシステム。
【請求項５】
請求項１記載のネットワークシステムであって、
前記ネットワーク接続装置の前記ポートには、仮想ネットワーク識別子によって識別され
る論理的に独立な仮想ネットワークが割り当てられており、
前記第１及び第３の対応関係において、前記ポートの識別子の代わりに前記仮想ネットワ
ーク識別子を用いることを特徴とするネットワークシステム。
【請求項６】
複数のポートを有するネットワーク接続装置と、前記複数のポートのうちのいずれかを介
して前記ネットワーク接続装置と接続されるネットワーク機器と、前記ネットワーク接続
装置と接続されるサーバと、さらに前記ネットワーク接続装置と接続される認証サーバを
有するネットワークシステムであって、
前記サーバは、前記ポートの接続先の物理的な位置と該ポートの識別子との第１の対応
関係を記憶する記憶部を有し、
前記ネットワーク接続装置は、
前記ネットワーク機器から前記認証サーバ宛てに送信される認証情報であって、前記ネッ
トワーク機器のユーザの識別子と該ネットワーク機器のネットワークアドレスを含む認証
情報を前記ネットワーク機器から受信し、該認証情報を前記認証サーバに送信し、
さらに、前記認証情報に含まれるユーザの識別子と前記ネットワークアドレスとの第２の
対応関係を前記サーバに送信し、
さらに、前記ネットワークアドレスと前記認証情報を受信したポートの識別子との第３の
対応関係を前記サーバに送信し、
前記サーバは、前記第１、第２及び第３の対応関係に基づいて、前記ポートに接続される
前記ネットワーク機器の物理的な位置と該ネットワーク機器のユーザの識別子との第４の
対応関係を得ることを特徴とするネットワークシステム。
【請求項７】
請求項６記載のネットワークシステムであって、
前記ネットワーク接続装置はＬＡＮスイッチであり、
前記ネットワークアドレスはＩＰアドレスであり、
前記サーバは、ＤＨＣＰサーバから前記ＩＰアドレスが前記ネットワーク機器に配布され
る際に、前記ＤＨＣＰサーバが生成する該ＩＰアドレスと前記ネットワーク機器のＭＡＣ
アドレスの対応関係を前記ＤＨＣＰサーバから取得し、
前記第１、第２及び第３の対応関係に加えて、前記ＩＰアドレスと前記ＭＡＣアドレスの
対応関係に基づいて、前記第４の対応関係を得ることを特徴とするネットワークシステム
。
【請求項８】
複数のポートを有するネットワーク接続装置と、前記複数のポートのうちのいずれかを介
して前記ネットワーク接続装置と接続されるシンクライアントと、前記ネットワーク接続
装置と接続されるサーバと、さらに前記サーバと接続される認証サーバと、前記認証サー
バと前記シンクライアントとに接続される前記シンクライアントにおけるユーザ入力を処
理するコンピュータとを有するネットワークシステムであって、
前記サーバは、前記ポートの接続先の物理的な位置と該ポートの識別子との第１の対応
関係を記憶する記憶部を有し、
前記シンクライアントは、該シンクライアントのネットワークアドレスと該シンクライア
ントのユーザの識別子を含む認証情報を前記コンピュータを介して前記認証サーバに送信
し、
前記認証サーバは、前記認証情報から得た前記シンクライアントのネットワークアドレス
と該シンクライアントのユーザの識別子との第２の対応関係を前記サーバに送信し、
前記ネットワーク接続装置は、前記シンクライアントのネットワークアドレスと前記シン
クライアントが接続されるポートの識別子との第３の対応関係を前記サーバに送信し、
前記サーバは、前記第１、第２及び第３の対応関係に基づいて、前記シンクライアントの
物理的な位置と該シンクライアントのユーザの識別子との第４の対応関係を得ることを特
徴とするネットワークシステム。
【請求項９】
複数のポートを有するネットワーク接続装置と、前記複数のポートのうちのいずれかを介
して前記ネットワーク接続装置と接続されるネットワーク機器と、前記ネットワーク接続
装置に接続されるサーバと、前記ネットワーク機器と前記サーバに接続されるアプリケー
ションサーバを有するネットワークシステムであって、
前記サーバは、
前記ポートの接続先の物理的な位置とそれぞれのポートの識別子との第１の対応関係を記
憶する記憶部を有し、
前記ネットワーク機器は、該ネットワーク機器のネットワークアドレスと該ネットワーク
機器のユーザの識別子とを含むメッセージを前記アプリケーションサーバに送信し、
前記アプリケーションサーバは、前記メッセージに基づいて得られた前記ネットワークア
ドレスと前記ユーザの識別子との第２の対応関係を前記サーバに送信し、
前記ネットワーク接続装置は、前記ネットワーク機器のネットワークアドレスと前記ネッ
トワーク機器が接続されるポートの識別子との第３の対応関係を前記サーバに送信し、
前記サーバは、前記第１、第２及び第３の対応関係に基づいて、前記ポートに接続される
前記ネットワーク機器の物理的な位置と該ネットワーク機器のユーザの識別子との第４の
対応関係を得ることを特徴とするネットワークシステム。
【請求項１０】
複数のポートを有するネットワーク接続装置と、前記複数のポートのうちのいずれかを介して前記ネットワーク接続装置と接続されるＩＰ電話機と、前記ネットワーク接続装置に接続されるサーバとを有するネットワークシステムであって、
前記サーバは、前記ポートに割り当てられる電話番号と該ポートの識別子との第１の対
応関係と、前記ポートに接続されるＩＰ電話機のネットワークアドレスと該ＩＰ電話機の
使用者の識別子との第２の対応関係とを記憶する記憶部を有し、
前記ネットワーク接続装置は、前記ＩＰ電話機のネットワークアドレスと前記ＩＰ電話機
が接続されるポートの識別子との第３の対応関係を前記サーバに送信し、
前記サーバは、前記第１、第２及び第３の対応関係に基づいて、前記ＩＰ電話機と前記電
話番号との第４の対応関係を得るとともに、該ＩＰ電話機に前記電話番号を含む電話番号
割当て命令を送信することを特徴とするネットワークシステム。